(57)【特許請求の範囲】
【請求項１】
育児器具に取り付け可能なおくるみであって、
前記育児器具上に載置される背当て部と、前記背当て部に連結され、乳幼児を拘束するための一対の翼状部とを含む、乳幼児の上半身を支持するための上半身サポートと、
前記上半身サポートとは分離され、乳幼児の下半身を支持するための下半身サポートと、
乳幼児の体型に応じて、前記上半身サポートの上端部から前記下半身サポートの下端部までの高さ方向の距離を調整するための調整手段とを備え、
前記育児器具とは連結部材を介して連結される、おくるみ。
【請求項２】
前記連結部材は、前記育児器具に設けられた股ベルトを含み、
前記調整手段は、前記上半身サポートの前記背当て部に設けられた、前記股ベルトを挿通するための上半身側挿通部を含む、請求項１に記載のおくるみ。
【請求項３】
前記上半身側挿通部は、高さ方向に間隔をあけて設けられた複数の挿通孔を有している、請求項２に記載のおくるみ。
【請求項４】
前記下半身サポートは、前記育児器具上に載置される尻当て部を含み、
前記調整手段は、前記尻当て部に設けられた、前記股ベルトを挿通するための下半身側挿通部をさらに含む、請求項２または３に記載のおくるみ。
【請求項５】
前記連結部材は、前記育児器具に設けられた股ベルトを含み、
前記下半身サポートは、前記育児器具上に載置される尻当て部を含み、
前記調整手段は、前記尻当て部に設けられた、前記股ベルトを挿通するための下半身側挿通部を含む、請求項１に記載のおくるみ。
【請求項６】
前記下半身側挿通部は、高さ方向に間隔をあけて設けられた複数の挿通孔を有している、請求項４または５に記載のおくるみ。
【請求項７】
前記連結部材は、前記育児器具に設けられた肩ベルトを含み、
前記上半身サポートの前記背当て部には、前記肩ベルトを挿通するための肩ベルト挿通部が設けられている、請求項１〜６のいずれかに記載のおくるみ。
【請求項８】
前記下半身サポートは、乳幼児の胴体下部の両側部を拘束するための一対の側壁パッドを含む、請求項１〜７のいずれかに記載のおくるみ。
【請求項９】
前記上半身サポートは、乳幼児の頸椎を支持するための頸椎パッドをさらに含む、請求項１〜８のいずれかに記載のおくるみ。
【請求項１０】
前記上半身サポートまたは前記下半身サポートに取り付け可能な足カバーをさらに備える、請求項１〜９のいずれかに記載のおくるみ。
【発明の詳細な説明】
【技術分野】
【０００１】
本発明は、育児器具に取り付け可能なおくるみに関する。
【背景技術】
【０００２】
従来から、ベビーカー、チャイルドシート、およびベビー用チェアなどの育児器具に取り付け可能なおくるみが提案されている。
【０００３】
たとえば特開２００８−２５５５３３号公報（特許文献１）、特開２０００−３０３２１８号公報（特許文献２）、特開平９−２２８１０５号公報（特許文献３）および特開２００２−２０１５０３号公報（特許文献４）には、育児器具の股ベルト、腰ベルトおよび肩ベルトの少なくともいずれかを挿通するためのベルト挿通孔が形成されたおくるみが開示されている。
【先行技術文献】
【特許文献】
【０００４】
【特許文献１】特開２００８−２５５５３３号公報
【特許文献２】特開２０００−３０３２１８号公報
【特許文献３】特開平９−２２８１０５号公報
【特許文献４】特開２００２−２０１５０３号公報
【発明の概要】
【発明が解決しようとする課題】
【０００５】
上述のような従来のおくるみは、乳幼児の上半身および下半身を一体的に包み込むため、乳幼児の体型に応じて、適切に育児器具に取り付けることができなかった。
【０００６】
本発明は、上記のような課題を解決するためになされたものであって、その目的は、乳幼児の体型に応じて適切に育児器具に取り付けることができるおくるみを提供することである。
【課題を解決するための手段】
【０００７】
この発明のある局面に従うおくるみは、育児器具に取り付け可能なおくるみであって、乳幼児の上半身を支持するための上半身サポートと、乳幼児の下半身を支持するための下半身サポートとを備え、育児器具とは連結部材を介して連結される。上半身サポートは、育児器具上に載置される背当て部と、背当て部に連結され、乳幼児を拘束するための一対の翼状部とを含み、下半身サポートは、上半身サポートとは分離されている。
【０００８】
好ましくは、おくるみは、乳幼児の体型に応じて、上半身サポートの上端部から下半身サポートの下端部までの高さ方向の距離を調整するための調整手段をさらに備える。
【０００９】
好ましくは、連結部材は、育児器具に設けられた股ベルトを含む。この場合、調整手段は、上半身サポートの背当て部に設けられた、股ベルトを挿通するための上半身側挿通部を含むことが望ましい。
【００１０】
上半身側挿通部は、高さ方向に間隔をあけて設けられた複数の挿通孔を有していることが望ましい。
【００１１】
さらに、下半身サポートは、育児器具上に載置される尻当て部を含んでいてもよい。この場合、調整手段は、尻当て部に設けられた、股ベルトを挿通するための下半身側挿通部をさらに含むことが望ましい。あるいは、調整手段は、上半身側挿通部を含まず、下半身側挿通部のみを含んでもよい。
【００１２】
下半身側挿通部は、高さ方向に間隔をあけて設けられた複数の挿通孔を有していることが望ましい。
【００１３】
連結部材は、育児器具に設けられた肩ベルトを含んでもよい。この場合、上半身サポートの背当て部には、肩ベルトを挿通するための肩ベルト挿通部が設けられている。
【００１４】
好ましくは、下半身サポートは、乳幼児の胴体下部の両側部を拘束するための一対の側壁パッドを含む。
【００１５】
好ましくは、上半身サポートは、乳幼児の頸椎を支持するための頸椎パッドをさらに含む。
【００１６】
好ましくは、上半身サポートまたは下半身サポートに取り付け可能な足カバーをさらに備える。
【発明の効果】
【００１７】
本発明によれば、乳幼児の体型に応じて、適切に育児器具に取り付けることができる。
【図面の簡単な説明】
【００１８】
【図１】本発明の実施の形態に係るおくるみが、育児器具に取り付けられた状態を模式的に示す図である。
【図２】本発明の実施の形態に係るおくるみの構成例を示す図である。
【図３】本発明の実施の形態に係るおくるみの上半身サポートと下半身サポートとが連結された状態を模式的に示す図である。
【図４】本発明の実施の形態において、おくるみの長さ寸法が最短長さである場合における、上半身サポートと下半身サポートとの上下方向の位置関係を模式的に示す図である。
【図５】本発明の実施の形態において、おくるみの長さ寸法が中間長さである場合における、上半身サポートと下半身サポートとの上下方向の位置関係を模式的に示す図である。
【図６】本発明の実施の形態において、おくるみの長さ寸法が最長長さである場合における、上半身サポートと下半身サポートとの上下方向の位置関係を模式的に示す図である。
【図７】本発明の実施の形態における下半身サポートに含まれるパッド部に、乳幼児の脚部が載せられた状態を模式的に示す図である。
【図８】図７の矢印ＶＩＩＩ方向から見た図である。
【図９】本発明の実施の形態の変形例１に係るおくるみを模式的に示す図である。
【図１０】本発明の実施の形態の変形例２に係るおくるみを模式的に示す図である。
【図１１】本発明の実施の形態の変形例３に係るおくるみを模式的に示す図である。
【図１２】本発明の実施の形態の変形例４に係るおくるみを模式的に示す図である。
【発明を実施するための形態】
【００１９】
本発明の実施の形態について図面を参照しながら詳細に説明する。なお、図中同一または相当部分には同一符号を付してその説明は繰返さない。
【００２０】
（概略構成について）
はじめに、本実施の形態に係るおくるみの概略構成について説明する。
【００２１】
図１を参照して、おくるみ１０は、育児器具９０に取り付け可能である。つまり、おくるみ１０は、育児器具９０に取り付けられた状態で、乳幼児８０を保持することができる。育児器具９０は、たとえばベビー用チェア（ハイローチェア）であり、股ベルト９１と、一対の腰ベルト９２と、一対の肩ベルト９３とを有している。
【００２２】
おくるみ１０は、股ベルト９１および肩ベルト９３を介して、育児器具９０に連結可能である。つまり、育児器具９０の股ベルト９１および肩ベルト９３は、おくるみ１０と育児器具９０とを連結するための連結部材として機能している。なお、連結部材は、少なくとも股ベルト９１を含んでいればよい。
【００２３】
本実施の形態のおくるみ１０は、典型的には、新生児から首が据わる頃（４か月頃）までの乳幼児に適用することが想定されるが、体型や成長度合いは個々に異なるため、５か月以上の乳幼児であっても適用可能である。なお、おくるみ１０の説明において、上下方向は、保持される乳幼児８０の高さ方向に対応し、左右方向は、乳幼児８０を正面から見た場合の左右方向に対応するものとする。また、おくるみ１０を広げた状態で、乳幼児８０に接する方（図２の紙面表側）を表側、乳幼児８０に接しない方（図２の紙面裏側）を裏側という。
【００２４】
図２を参照して、おくるみ１０は、乳幼児８０の上半身を支持するための上半身サポート１１と、乳幼児８０の下半身を支持するための下半身サポート１２とを備えていている。図２に示されるように、上半身サポート１１と下半身サポート１２とは、互いに分離されている。また、おくるみ１０は、下半身サポート１２に取り付け可能な足カバー１３をさらに備えていることが望ましい。
【００２５】
本実施の形態において「分離」とは、完全に別個のものとして独立しているものに限定されず、少なくとも、両者の位置が上下方向に変位可能であればよい。つまり、上半身サポート１１と下半身サポート１２とが別個に使用されることを想定しない場合は、両者は、たとえば紐状部材などの接続部材を介して間接的に接続されていてもよい。
【００２６】
上半身サポート１１は、育児器具９０上（表側）に載置される背当て部２１と、背当て部２１に連結され、乳幼児８０を拘束するための一対の翼状部２２ａ，２２ｂとを含んでいる。背当て部２１および一対の翼状部２２ａ，２２ｂは、一枚のシート状に一体的に形成されている。背当て部２１および一対の翼状部２２ａ，２２ｂを構成するシート部材は、速乾性を有していることが望ましい。
【００２７】
背当て部２１は、乳幼児８０の頭部が載置される上部２１１と、乳幼児８０の背中が載置される中央部２１２と、主に乳幼児８０の臀部が載置される下部２１３とによって構成される。一対の翼状部２２ａ，２２ｂは、背当て部２１の中央部２１２の左右にそれぞれ連結されている。背当て部２１の上下長さは、たとえば４０ｃｍ以上であることが望ましい。
【００２８】
背当て部２１の上部２１１には、弾力性を有し、頸椎を支持するための頸椎パッド２３が設けられていることが望ましい。背当て部２１２の上部２１１と中央部２１２との境界部には、一対の肩ベルト挿通孔２５ａ，２５ｂが左右に並んで設けられている。肩ベルト挿通部２５ａ，２５ｂに肩ベルト９３を挿通することで、育児器具９０に上半身サポート１１を安全に取り付けることができる。背当て部２１の下部２１３には、育児器具９０の股ベルト９１を挿通するための（上半身側）股ベルト挿通部２４が設けられている。股ベルト挿通部２４の構成については後述する。
【００２９】
左側の翼状部２２ａの裏面には、一方の面ファスナ２６ａが設けられ、右側の翼状部２２ｂの表面には、面ファスナ２６ｂが設けられている。翼状部２２ａ，２２ｂは、面ファスナ２６ａ，２６ｂ同士が接着されることによって、互いに係合可能である。翼状部２２ａ，２２ｂが互いに係合されることで、上半身サポート１１によって乳幼児８０の上半身（頭部を除く）が包まれる。これにより、乳幼児８０に安心感を与えることができる。なお、翼状部２２ａ，２２ｂの係合は、面ファスナ２６ａ，２６ｂ以外の部材によって実現されてもよい。
【００３０】
下半身サポート１２は、育児器具９０上（表側）に載置される尻当て部３１と、弾力性を有する略Ｕ字形状のパッド部３２とを含んでいる。
【００３１】
尻当て部３１は、背当て部２１の下部２１３の少なくとも一部と重なるように配置される。典型的には、尻当て部３１は、背当て部２１の裏側に配置される。この場合、尻当て部３１には、乳幼児８０の臀部と、脚部の少なくとも一部とが、直接または間接的に載置される。尻当て部３１は、シート状に形成されている。尻当て部３１を構成するシート部材もまた、速乾性を有していることが望ましい。また、尻当て部３１の上下長さは、たとえば１５ｃｍ以上であり、左右長さは、たとえば１７〜２０ｃｍであることが望ましい。
【００３２】
尻当て部３１にも、育児器具９０の股ベルト９１を挿通するための（下半身側）股ベルト挿通部３３が設けられている。すなわち、育児器具９０の股ベルト９１は、おくるみ１０自体を育児器具９０に連結するための連結部材でありながら、上半身サポート１１と下半身サポート１２とを連結するための連結部材としても機能する。股ベルト挿通部３３の構成についても後述する。
【００３３】
パッド部３２は、尻当て部３１の下端部および両側部を囲むように固定されている。すなわち、パッド部３２は、上下方向に延びる一対の側壁パッド３２１，３２２と、側壁パッド３２１，３２２の下端部に連結され、左右方向に延びる下壁パッド３２３とを有している。側壁パッド３２１，３２２は、乳幼児８０の左右の揺れを防止するべく、少なくとも乳幼児８０の胴体下部（腰下）の両側部を拘束する。側壁パッド３２１，３２２は、尻当て部３１の上端よりも上方に延びていることが望ましい。下壁パッド３２３は、乳幼児８０の脚部を支持する。
【００３４】
乳幼児８０が６週以下の新生児である場合、図１に示されるように、Ｍ字型に開脚された脚部がパッド部３２の内側に触れる。一方、乳幼児８０が４か月程度の月齢である場合には、図７および図８に示されるように、Ｍ字型に開脚された脚部の大腿部が側壁パッド３２１，３２２上（表側）に載り、乳幼児８０の膝下（膝から足先）の全部または一部が下壁パッド３２３上（表側）に載る。これにより、乳幼児８０の股関節脱臼を防止することができる。なお、パッド部３２は、少なくとも側壁パッド３２１，３２２を有していればよい。
【００３５】
足カバー１３は、少なくとも乳幼児８０の下半身の表側および両側部を覆う。足カバー１３は、たとえばメッシュ素材の生地によって形成されている。足カバー１３の上部左右には、取付部５２ａ，５２ｂがそれぞれ設けられている。取付部５２ａ，５２ｂは、下半身サポート１２の側壁パッド３２１，３２２の側部または裏側にそれぞれ設けられた被取付部５１ａ，５１ｂに、それぞれ取り付けられる。取付部５２ａ，５２ｂおよび被取付部５１ａ，５１ｂは、たとえば、雌ホックおよび雄ホックをそれぞれ有している。
【００３６】
足カバー１３の下端部裏側には、上方が開口された袋状部４２が形成されていることが望ましい。袋状部４２には、育児器具９０の下端部が挿入可能となっている。なお、足カバー１３は、上半身サポート１１に取り付け可能であってもよい。つまり、被取付部５１ａ，５１ｂは、上半身サポート１１の裏側に設けられていてもよい。
【００３７】
ここで、図３を参照して、本実施の形態に係るおくるみ１０は、乳幼児８０の体型に応じて、その長さ寸法Ｌを調整可能である。つまり、おくるみ１０は、長さ寸法Ｌを調整するための調整手段（以下「長さ調整手段」という）を有している。なお、おくるみ１０の長さ寸法Ｌは、上半身サポート１１の上端部から下半身サポート１２の下端部までの高さ方向の距離を表わす。以下に、おくるみ１０の長さ調整手段について、具体的に説明する。
【００３８】
（長さ調整手段について）
本実施の形態では、上述した上半身サポート１１の股ベルト挿通部２４、および、下半身サポート１２の股ベルト挿通部３３が、長さ調整手段として機能する。
【００３９】
図２に示されるように、上半身サポート１１の股ベルト挿通部２４は、高さ方向に間隔をあけて設けられた２つの挿通孔２４１，２４２を有している。同様に、下半身サポート１２の股ベルト挿通部３３もまた、高さ方向に間隔をあけて設けられた２つの挿通孔３３１，３３２を有している。各挿通孔は、左右方向に延びるスリット状の孔である。この場合、乳幼児８０の体型に合わせて、挿通孔２４１，２４２のいずれか一方と、挿通孔３３１，３３２のいずれか一方とに、育児器具９０の股ベルト９１が挿通される。つまり、おくるみ１０の長さ寸法Ｌは、最短長さ、中間長さ、および最長長さの３段階で調整可能である。
【００４０】
図４には、おくるみ１０の長さ寸法Ｌが最短長さＬ１である場合における、上半身サポート１１と下半身サポート１２との上下方向の位置関係が模式的に示されている。この場合、上半身サポート１１の上側の挿通孔２４１の位置と、下半身サポート１２の下側の挿通孔３３２の位置とが一致するように、上半身サポート１１および下半身サポート１２が重ね合わされる。したがって、股ベルト９１は、これらの挿通孔２４１，３３２に挿通される。この場合のおくるみ１０の状態が、図３の実線にて示されている。
【００４１】
図５には、おくるみ１０の長さ寸法Ｌが中間長さＬ２である場合における、上半身サポート１１と下半身サポート１２との上下方向の位置関係が模式的に示されている。この場合、上半身サポート１１の挿通孔２４１，２４２の位置と、下半身サポート１２の挿通孔３３１，３３２の位置とがそれぞれ一致するように、上半身サポート１１および下半身サポート１２が重ね合わされる。この場合、股ベルト９１は、上側の挿通孔２４１，３３１に挿通してもよいし、下側の挿通孔２４２，３３２に挿通してもよい。これらのいずれに挿通するかは、乳幼児８０の体型に応じて選択可能である。
【００４２】
図６には、おくるみ１０の長さ寸法Ｌが最長長さＬ３である場合における、上半身サポート１１と下半身サポート１２との上下方向の位置関係が模式的に示されている。この場合、上半身サポート１１の下側の挿通孔２４２の位置と、下半身サポート１２の上側の挿通孔３３１の位置とが一致するように、上半身サポート１１および下半身サポート１２が重ね合わされる。したがって、股ベルト９１は、これらの挿通孔２４２，３３１に挿通される。この場合のおくるみ１０の状態が、図３の想像線にて示されている。
【００４３】
以上説明したように、本実施の形態に係るおくるみ１０は、上下に分離されているため、乳幼児８０の体型に合わせて、その長さ寸法Ｌを調整することができる。その結果、乳幼児８０を適切に保持することができるため、乳幼児８０の快適性を向上させることができる。
【００４４】
また、育児器具９０との連結部材としての股ベルト９１を利用するため、おくるみ１０に特別な部材を設ける必要がなく、簡易な構成で、おくるみ１０の長さ寸法Ｌを調整することができる。
【００４５】
また、上半身サポート１１に複数の挿通孔２４１，２４２が設けられているため、乳幼児８０の体型（具体的には、胴の長さ）に応じて股ベルト９１の挿通位置を選択することで、頸椎パッド２３の位置に乳幼児８０の頸椎を適切に配置することができる。
【００４６】
また、下半身サポート１２に複数の挿通孔３３１，３３２が設けられているため、乳幼児８０の体型（具体的には、脚の長さ）に応じて股ベルト９１の挿通位置を選択することで、パッド部３２を適切に機能させることができる。つまり、乳幼児８０が新生児の場合は、パッド部３２内に乳幼児８０の脚部がほぼ収まるような位置に、また、乳幼児８０が４か月程度の月齢である場合には、パッド部３２上に乳幼児８０の膝下部分も載せられるような位置に、パッド部３２を配置することができる。
【００４７】
また、育児器具９０から乳幼児８０を抱き上げる際には、足カバー１３を外し、上半身サポート１１に挿通された股ベルト９１および肩ベルト９３を抜くことで、上半身サポート１１ごと乳幼児８０を抱き上げることができる。なお、肩ベルト９３の着脱を容易にするためには、肩ベルト挿通部は、挿通孔２５ａ，２５ｂに代えて、上半身サポート１１の左右方向からの抜き差しを可能にするための一対の切り込み（図示せず）を有してもよい。
【００４８】
なお、本実施の形態では、上半身サポート１１の挿通孔２４１，２４２間の間隔と、下半身サポート１２の挿通孔３３１，３３２間の間隔とは、等しいこととしたが、これらの間隔は、等しくなくてもよい。また、各サポート部材における挿通孔の個数は、複数であればよく、２つに限定されない。
【００４９】
あるいは、各サポート部材の股ベルト挿通部２４，３３は、異なる個数の挿通孔を有していてもよい。この場合、股ベルト挿通部２４，３３の一方は、単一の挿通孔のみを有していてもよい。つまり、上半身サポート１１の股ベルト挿通部２４、および下半身サポート１２の股ベルト挿通部３３のうちの一方のみが、長さ調整手段として機能してもよい。
【００５０】
さらに、おくるみ１０の長さ調整手段は、上記以外の要素によって実現されてもよい。長さ調整手段の変形例を、以下に説明する。
【００５１】
（変形例１）
変形例１では、図９に示されるように、おくるみ１０は、上記実施の形態の下半身サポート１２に代えて、下半身サポート１２Ａを有している。下半身サポート１２Ａの尻当て部３１には、股ベルト９１を挿通するための股ベルト挿通部３３Ａが設けられている。股ベルト挿通部３３Ａは、スリット状ではなく、上下方向にも長さを有する１つの挿通開口として構成されている。股ベルト挿通部３３Ａは、長さ調整手段として機能し、その上下寸法は、たとえば、上半身サポート１１の挿通孔２４１，２４２間の間隔以上である。
【００５２】
この場合、下半身サポート１２Ａにおける股ベルト９１の挿通位置は、股ベルト挿通部３３Ａの上下寸法の範囲内で、任意に選択することができる。
【００５３】
なお、本変形例では、下半身サポート１２Ａの上下方向の位置ずれを防止するために、下半身サポート１２Ａに係合部を設け、育児器具９０または上半身サポート１１に、被係合部を設けることが望ましい。これらがたとえば面ファスナにより実現される場合、係合部および被係合部の上下長さは、一方よりも他方の方を長くしてもよい。下記の変形例においても同様である。
【００５４】
具体的には、被係合部としての面ファスナ（図示せず）が育児器具９０側（表面）に設けられる場合、図９に示されるように、係合部としての面ファスナ６１が、たとえば尻当て部３１の裏面に設けられる。あるいは、被係合部としての面ファスナ（図示せず）が上半身サポート１１の背当て部２１の下部２１３裏面に設けられる場合、係合部としての面ファスナ（図示せず）は、尻当て部３１の表面における、股ベルト挿通部３３Ａの側方に設けられてもよい。
【００５５】
（変形例２）
変形例２では、図１０に示されるように、おくるみ１０は、上記実施の形態の上半身サポート１１に代えて、上半身サポート１１Ａを有している。上半身サポート１１Ａの背当て部２１の下部２１３には、股ベルト９１を挿通するための股ベルト挿通部２４Ａが設けられている。股ベルト挿通部２４Ａは、上記変形例１の股ベルト挿通部３３Ａと同様に、上下方向にも長さを有する１つの挿通開口として構成されている。股ベルト挿通部３３Ａは、長さ調整手段として機能し、その上下寸法は、たとえば、下半身サポート１２の挿通孔３３１，３３２間の間隔以上である。
【００５６】
この場合、上半身サポート１１Ａにおける股ベルト９１の挿通位置は、股ベルト挿通部２４Ａの上下寸法の範囲内で、任意に選択することができる。
【００５７】
上半身サポート１１Ａが、上記実施の形態と同様に肩ベルト挿通孔２５ａ，２５ｂを有している場合、上記変形例１のような上半身サポート１１Ａの上下方向の位置ずれを考慮する必要はない。しかしながら、上半身サポート１１Ａが肩ベルト挿通孔２５ａ，２５ｂを有していない場合には、本変形例でも、上半身サポート１１Ａに係合部を設け、育児器具９０または下半身サポート１２に、被係合部を設けることが望ましい。
【００５８】
具体的には、被係合部としての面ファスナ（図示せず）が育児器具９０側（表面）に設けられる場合、図１０に示されるように、係合部としての面ファスナ６２が、背当て部２１の裏面に設けられる。あるいは、被係合部としての面ファスナ（図示せず）が下半身サポート１２の尻当て部３１表面に設けられる場合、係合部としての面ファスナ（図示せず）は、背当て部２１の裏面における、股ベルト挿通部２４Ａ側方に設けられてもよい。
【００５９】
（変形例３）
変形例３では、図１１に示されるように、おくるみ１０は、上記実施の形態の下半身サポート１２に代えて、下半身サポート１２Ｂを有している。下半身サポート１２Ｂは、尻当て部３１を有さず、パッド部３２のみによって構成されている。この場合、下半身サポート１２Ｂにおける股ベルト９１の挿通位置は、パッド部３２の下壁パッド３２３の上端縁から側壁パッド３２１，３２２の上端縁までの範囲内で、任意に選択することができる。その意味において、下半身サポート１２のパッド部３２で囲まれた開口領域全体が、長さ調整手段として機能する股ベルト挿通部といえる。
【００６０】
なお、本変形例では、下半身サポート１２Ｂの上下方向および左右方向の位置ずれを防止するために、下半身サポート１２Ｂに係合部を設け、育児器具９０または上半身サポート１１に、被係合部を設けることが望ましい。
【００６１】
具体的には、被係合部としての面ファスナ（図示せず）が育児器具９０側（表面）に設けられる場合、図１１に示されるように、係合部としての面ファスナ６３ａ，６３ｂは、たとえば側壁パッド３２１，３２２の裏面にそれぞれ設けられる。あるいは、被係合部としての面ファスナ６５ａ，６５ｂが上半身サポート１１の背当て部２１の下部２１３裏面に設けられる場合、係合部としての面ファスナ６４ａ，６４ｂは、パッド部３２の側壁パッド３２１，３２２から左右方向内側に延びるように設けられてもよい。この場合、面ファスナ６４ａ，６４ｂの係合面は、表側を向いている。
【００６２】
（変形例４）
変形例４では、図１２に示されるように、おくるみ１０は、上記実施の形態の上半身サポート１１に代えて、上半身サポート１１Ｂを有している。上半身サポート１１Ｂの背当て部２１Ａは、下部２１３を有さず、上部２１１および中央部２１２のみによって構成されている。
【００６３】
上半身サポート１１Ｂが、上記実施の形態と同様に肩ベルト挿通孔２５ａ，２５ｂを有している場合、育児器具９０に対する上半身サポート１１Ｂの位置は固定される。そのため、上半身サポート１１Ｂにおける股ベルト９１の挿通位置は、背当て部２１Ａの下端縁から所定範囲内で、任意に選択することができる。また、この場合、上半身サポート１１Ｂの上下方向の位置ずれを考慮する必要はない。
【００６４】
これに対し、上半身サポート１１Ｂが肩ベルト挿通孔２５ａ，２５ｂを有していない場合、その設置位置によって、股ベルト９１の挿通位置は、背当て部２１Ａの下端縁よりも下側において、任意に選択することができる。また、この場合、上半身サポート１１Ｂに係合部を設け、育児器具９０または下半身サポート１２に、被係合部を設けることが望ましい。
【００６５】
具体的には、被係合部としての面ファスナ（図示せず）が育児器具９０側（表面）に設けられる場合、図１２に示されるように、係合部としての面ファスナ６６が、たとえば背当て部２１の裏面に設けられる。あるいは、被係合部としての面ファスナ６８ａ，６８ｂが下半身サポート１２の股ベルト挿通部３３の裏側左右にそれぞれ設けられる場合、係合部としての面ファスナ６７ａ，６７ｂは、背当て部２１Ａの左右下端部からそれぞれ下方に延びるように設けられてもよい。この場合、面ファスナ６７ａ，６７ｂの係合面は、表側を向いている。
【００６６】
なお、上記各変形例では、係合部および被係合部の例として面ファスナを挙げたが、これに限定されず、たとえばホックにより実現してもよい。
【００６７】
また、上記変形例を適宜組み合わせてもよい。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１０  おくるみ、１１，１１Ａ，１１Ｂ  上半身サポート、１２，１２Ａ，１２Ｂ  下半身サポート、１３  足カバー、２１，２１Ａ  背当て部、２２ａ，２２ｂ  翼状部、２３  頸椎パッド、２４，３３，２４Ａ，３３Ａ  股ベルト挿通部、２４１，２４２，３３１，３３２  挿通孔、２５ａ，２５ｂ  肩ベルト挿通孔、３１  尻当て部、３２  パッド部、４２  袋状部、５１ａ，５１ｂ  被取付部、５２ａ，５２ｂ  取付部、９０  育児器具、９１  股ベルト、９２  腰ベルト、９３  肩ベルト、３２１，３２２  側壁パッド、３２３  下壁パッド。
【図１】
0006366388.tif 000002
【図２】
0006366388.tif 000003
【図３】
0006366388.tif 000004
【図４】
0006366388.tif 000005
【図５】
0006366388.tif 000006
【図６】
0006366388.tif 000007
【図７】
0006366388.tif 000008
【図８】
0006366388.tif 000009
【図９】
0006366388.tif 000010
【図１０】
0006366388.tif 000011
【図１１】
0006366388.tif 000012
【図１２】
0006366388.tif 000013